(57)【要約】【課題】良好な印刷を可能とする印刷装置を提供する。【解決手段】ネイルプリント装置１は、筐体２と、筐体２内に収容され、カートリッジ７を保持するカートリッジホルダ８とを備える。筐体２の前壁部２１２には、当該筐体２内に印刷対象の爪（印刷指１）を挿入するための開口部６１と、カートリッジ７の着脱時にカートリッジホルダ８が配置される交換領域Ａｒ３を外部に露出させる取出し口２１３とが設けられている。【選択図】図３
2020138453.tif 000002
【特許請求の範囲】
【請求項１】
筐体と、
前記筐体内に収容され、カートリッジを保持するカートリッジホルダと、
を備え、
前記筐体のいずれか一の壁部には、
当該筐体内に印刷対象である爪に対応する印刷指を挿入するための第１の開口部と、
前記カートリッジの着脱時に前記カートリッジホルダが配置される交換領域を外部に露出させる第２の開口部と、
が設けられていることを特徴とする印刷装置。
【請求項２】
前記カートリッジホルダの動作を制御する制御手段を備え、
非印刷時に前記カートリッジホルダが待機する待機領域が、前記交換領域に対し、前記カートリッジを着脱させる所定の方向における前記筐体内の奥側に配置され、
前記制御手段は、前記カートリッジの着脱時には、前記カートリッジホルダを前記待機領域から前記交換領域まで前記筐体手前に向かって前記所定の方向に移動させることを特徴とする請求項１に記載の印刷装置。
【請求項３】
前記筐体は、前記一の壁部を有する筐体本体と、開閉可能に前記筐体本体に設けられたカバー部材と、を備え、前記カバー部材の開披により前記一の壁部の前記第２の開口部を露出させることを特徴とする請求項１又は請求項２に記載の印刷装置。
【請求項４】
前記カバー部材には、前記筐体内に挿入された前記印刷対象を外部から視認するための窓部が設けられていることを特徴とする請求項３に記載の印刷装置。
【請求項５】
前記カバー部材は、
当該カバー部材の上端部と前記一の壁部の上端部とがヒンジ機構を介して連結されることにより、前記筐体本体に対して回動可能に設けられ、
当該カバー部材の回動範囲が、前記第２の開口部を覆う閉状態から、前記第２の開口部を露出させ且つ当該カバー部材が前記筐体本体の上面と同程度の高さに位置する開状態までに規制されていることを特徴とする請求項３又は請求項４に記載の印刷装置。
【請求項６】
前記筐体は、前記筐体本体と着脱可能に構成されて前記筐体本体への装着時に前記第１の開口部を覆う他のカバー部材を備えることを特徴とする請求項３から請求項５のいずれか一項に記載の印刷装置。
【請求項７】
前記筐体は、非印刷指を挿入する指待機部を備え、前記筐体本体への前記他のカバー部材の装着時に、前記他のカバー部材は前記第１の開口部及び前記指待機部を覆うことを特徴とする請求項６に記載の印刷装置。
【発明の詳細な説明】
【技術分野】
【０００１】
本発明は、印刷装置に関するものである。
【背景技術】
【０００２】
従来、印刷装置において、インクを貯留するカートリッジが交換可能に構成され、カートリッジをカートリッジホルダ（キャリッジ）に装着して印刷動作を行うものが知られている（例えば、特許文献１参照）。
この種の印刷装置では、筐体に開口部が設けられており、この開口部を通じて、内部のカートリッジホルダに対して外部からカートリッジの着脱が行われる。
【先行技術文献】
【特許文献】
【０００３】
【特許文献１】特開２０１４−２２６７９６号公報
【発明の概要】
【発明が解決しようとする課題】
【０００４】
しかしながら、装置外部における開口部の周辺には、この開口部に対してカートリッジを入れたり出したりするための空間が必要となる。
そのため、単純に筐体に開口部を設けてしまうと、装置の周囲に確保すべきスペースが不必要に増えてしまい、装置の設置場所が限定されてしまう。装置の設置場所が限定されると、例えば印刷に好適な周辺環境が得られなくなるなどにより、良好な印刷を行うことが困難になりうる。
【０００５】
本発明は以上のような事情に鑑みてなされたものであり、良好な印刷を可能とする印刷装置を提供することを利点とするものである。
【課題を解決するための手段】
【０００６】
前記課題を解決するために、本発明の印刷装置は、
筐体と、
前記筐体内に収容され、カートリッジを保持するカートリッジホルダと、
を備え、
前記筐体のいずれか一の壁部には、
当該筐体内に印刷対象である爪に対応する印刷指を挿入するための第１の開口部と、
前記カートリッジの着脱時に前記カートリッジホルダが配置される交換領域を外部に露出させる第２の開口部と、
が設けられていることを特徴としている。
【発明の効果】
【０００７】
本発明によれば、良好な印刷を行うことができる。
【図面の簡単な説明】
【０００８】
【図１】本実施形態におけるネイルプリント装置の外観を示す斜視図である。
【図２】図１に示すネイルプリント装置から下カバーを外した状態を示す斜視図である。
【図３】図１に示すネイルプリント装置から下カバーを外し上カバーを開けた状態を示す斜視図であって、カートリッジが装着された状態を示す図である。
【図４】本実施形態におけるネイルプリント装置の内部構成を示す斜視図である。
【図５】本実施形態におけるネイルプリント装置の基台の構成を示す平面図である。
【図６】本実施形態におけるネイルプリント装置の概略の制御構成を示す制御ブロック図である。
【図７】本実施形態におけるネイルプリント装置から下カバーを外し上カバーを開けた状態を示す斜視図であって、カートリッジが取り外された状態を示す図である。
【図８】図７に示す状態のネイルプリント装置においてカートリッジホルダにカートリッジを装着する様子を示す斜視図である。
【発明を実施するための形態】
【０００９】
図１から図８を参照しつつ、本発明に係る印刷装置の一実施形態について説明する。
なお、以下に述べる実施形態には、本発明を実施するために技術的に好ましい種々の限定が付されているが、本発明の範囲を以下の実施形態及び図示例に限定するものではない。
また、以下の実施形態では、印刷装置が手の指の爪を印刷対象としてこれに印刷するネイルプリント装置である場合を例に説明するが、本発明における印刷装置の印刷対象は手の指の爪に限るものではなく、例えば足の指の爪を印刷対象としてもよい。また、ネイルチップや各種アクセサリの表面等、爪以外のものを印刷対象としてもよい。
【００１０】
図１は、本実施形態における印刷装置であるネイルプリント装置１の外観構成を示す斜視図である。
なお、以下の実施形態において、上下、左右及び前後は、図１に示した向きをいうものとする。また、Ｘ方向、Ｙ方向は、図１に示した方向をいうものとする。
【００１１】
図１に示すように、ネイルプリント装置１は、ほぼ箱形に形成された筐体２を有している。
筐体２は、前面側（ネイルプリント装置１の正面側、図１において前側）に開口部２１１（図２参照）を有する筐体本体２１と、筐体本体２１の前面側に配置され、開口部２１１を塞ぐ下カバー２２及び上カバー２３とを備えている。
すなわち、本実施形態において筐体２の前面は、筐体２の高さ方向において上下ほぼ半分に分割されており、前面下側が下カバー２２、前面上側が上カバー２３で構成されている。下カバー２２と上カバー２３とは閉状態においてほぼ面一となる。
【００１２】
また、筐体本体２１の前面上側であって上カバー２３の内側には、前壁部２１２（図３参照）が設けられている。前壁部２１２の一部は切り欠かれて開口しており、後述するカートリッジ７を装置に対して着脱する際の取出し口２１３となっている。
後述するように、本実施形態では、装置内の幅方向（Ｘ方向）右側にカートリッジ７のホームポジションＡｒ１（非印刷時の待機領域）が設けられており、このホームポジションＡｒ１からＹ方向における装置前方に直進した位置がカートリッジ７を着脱する際の交換領域Ａｒ３となっている（図４参照）。
取出し口２１３は、本発明に係る第２の開口部であり、この交換領域Ａｒ３を筐体２のその前側の外部に露出させるように、当該交換領域Ａｒ３と近接する位置に設けられている。この取出し口２１３は、カートリッジ７を着脱する際に引っ掛からない程度の大きさに形成されている。なお、本実施形態においては、取出し口２１３のうちの右側半部ほどが、交換領域Ａｒ３に対応した開口部となっており、取出し口２１３のうちの左側半部ほどは、後述する上カバー２３の窓部２３１に対応した開口部となっている（図３等参照）。取出し口２１３は、少なくとも交換領域Ａｒ３に対応した、その近接に位置する開口部となっていればよい。
【００１３】
下カバー２２は、筐体本体２１に対して着脱可能となっている。
図２は、筐体２から下カバー２２を取り外した状態を示した斜視図である。
図２に示すように、下カバー２２を取り外すことにより、筐体本体２１の開口部２１１から後述する指固定部６及び指待機部３５０が露出し、印刷対象である爪（当該爪に対応する指（これを以下「印刷指」とする。）いずれも図示せず。）及び印刷指以外の指（図示せず。これを以下「非印刷指」とする。）をネイルプリント装置１内に挿入可能となる。すなわち、下カバー２２は、筐体本体２１への装着時に、指固定部６の開口部６１を含む開口部２１１を覆うようになっている。
また、下カバー２２の奥側（図１において後側）には、下カバー２２を筐体本体２１に装着した状態において筐体２内部（後述の載置板３５よりも下側の空間）に収容される引出し部２４が一体に形成されている。引出し部２４は、例えばネイルプリント装置１に付属する図示しない各種部品等を収納可能な小物入れとなっていてもよい。
【００１４】
図３は、上カバー２３が開状態となったネイルプリント装置１の斜視図である。なお、図３では、カートリッジ７が装着された状態を示している。
図２及び図３に示すように、上カバー２３は、当該上カバー２３の上端部と前壁部２１２の上端部とがヒンジ機構２１４を介して連結されることにより、筐体本体２１に対して回動可能に設けられている。ヒンジ機構２１４は、筐体２の外観に現れないようにスライド蝶番等で構成されることが好ましい。
上カバー２３は、筐体本体２１の前面側を覆う閉状態から、筐体本体２１の前面側が開披された（本実施形態では前壁部２１２が露出した）開状態まで回動可能となっており、この回動により、前壁部２１２の取出し口２１３を開閉可能となっている。
【００１５】
本実施形態では、上カバー２３は、開状態において筐体２の前方に回動するようになっている。なお、図３に示す例では、開状態において上カバー２３が筐体２の上面よりも高い位置まで上がる例を示しているが、上カバー２３の回動範囲は、取出し口２１３を覆う閉状態から、取出し口２１３を開放させつつ当該上カバー２３が筐体本体２１の上面と同程度の高さに位置する開状態までに、規制されていればよい。ここで、筐体本体２１の上面と同程度の高さとは、筐体本体２１の上面から大幅には違わない高さであって、例えば、筐体本体２１の半分の高さから１．５倍の高さまでの範囲である。
上記のように、下カバー２２及び上カバー２３が装置前方に向かって取り外し又は開くことが可能に構成されており、特に、上カバー２３の回動範囲における高さの上限が筐体本体２１の上面と同程度の高さとされていることにより、ネイルプリント装置１が高さ方向に余裕のない場所に収納されている場合でも、当該収納場所から取り出さないまま印刷等を行うことが可能となる。
【００１６】
上カバー２３において、筐体２の幅方向（ネイルプリント装置１の左右方向、図１等におけるＸ方向）のほぼ中央部には、透明プラスチック等で形成された透明部材が装着された窓部２３１が設けられている。
窓部２３１からは、装置内部、特に筐体２内に挿入された印刷対象の爪が配置される指固定部６（後述）を、前壁部２１２の取出し口２１３のうちの左側半部ほどを通じて、外部から視認可能となっている。
【００１７】
筐体２（筐体本体２１）の上面のほぼ中央部には、取手２５が出没自在に設けられている。
筐体２の上面には凹部２５１が形成されており、取手２５は凹部２５１内に収納可能となっている。取手２５は、凹部２５１内に収納された収納状態（図１等に示す状態）において筐体２の上面とほぼ面一となる。これにより、筐体２の高さ分の隙間があればネイルプリント装置１を配置することができ、装置収納時の省スペース化を図ることができる。
また、取手２５は、凹部２５１内から引き起こされた引き起こし状態においてネイルプリント装置１を持ち運ぶための持ち手となる。
なお、筐体２各部の形状や配置等は、図示例に限定されず、適宜設定可能である。例えば、筐体２の上面や側面等にネイルプリント装置１の電源をＯＮ／ＯＦＦする電源スイッチ釦や各種表示部等が設けられていてもよい。
【００１８】
また、筐体２の上面（天板）の内側であって、後述する指固定部６の開口部６３の上方位置には、開口部６３から露出する爪（爪を含む印刷指）を撮影して爪画像を取得する後述の撮影部５０（図６参照）が設けられている。
【００１９】
図４は、図１等に示すネイルプリント装置１から筐体２を外してネイルプリント装置１の内部構成を示した要部斜視図である。
図４に示すように、筐体２内には、各種の内部構造物が組み込まれた基台３が設けられている。
基台３の上側には、ほぼ平坦な基台上板３０が配置されている。基台上板３０は、指固定部６に印刷指を固定した状態における爪の表面（印刷対象面）とほぼ面一となる高さに配置されている。この基台上板３０は、少なくとも指固定部６の左右両側の部分においては、配置された高さよりも上側の領域と下側の領域とに当該部分を仕切っている。
【００２０】
基台上板３０のうちの前側（手前側）部分であって左右方向のほぼ中央部には、指固定部６が配置されている。
指固定部６は装置前面側に開口する開口部６１を有する箱状の部材であり、指固定部６内部には印刷指を固定する指固定部材６２が配置されている。開口部６１は、筐体２内に印刷対象の爪（印刷指）を挿入するためのものであり、本発明に係る第１の開口部である。
指固定部材６２は、印刷指を下側から押し上げ支持するものであり、例えば柔軟性を有する樹脂等で形成されている。本実施形態では、指固定部材６２は、幅方向（左右方向）のほぼ中央部が窪んだ形状となっており、印刷指を指固定部材６２上に載置した際に、印刷指の腹部分を指固定部材６２が受けて、左右方向に指がガタつくのを防止することができる。
【００２１】
指固定部６の天面奥側（Ｙ方向後側）は開口した開口部６３となっている。開口部６３からは指固定部６内に挿入された指の爪が露出するようになっている。
本実施形態では、開口部６３の設けられている領域において、後述の印刷部４０により印刷が行われるようになっている。
【００２２】
また、指固定部６の天面手前側（Ｙ方向前側）は印刷指の浮き上がりを防止して印刷指の上方向の位置を規制する指押え６４となっている。
印刷指が下側から指固定部材６２によって支持され、印刷指の上側が指押え６４によって押さえられることで、印刷指の爪の表面（印刷対象面）の高さ方向の位置が印刷部４０による印刷を行うのに適した所定の位置に位置決めされる。
【００２３】
基台上板３０よりも下方であって開口部６１よりも下方、かつ下カバー２２の引出し部２４と干渉しない高さ位置には、印刷時に非印刷指が載置される載置板３５が、基台上板３０とほぼ平行に設けられている。載置板３５には凹状又は穴状に形成された指入れ部３５１が形成されている。この指入れ部３５１は、載置される非印刷指の先端側部分に対応する奥側（後側）の位置に形成されている。
基台上板３０と載置板３５との間の空間は、印刷指の爪に印刷を行っている際に非印刷指を待機させておく指待機部３５０となっている。
【００２４】
印刷中はユーザが待機中の非印刷指を指待機部３５０に挿入し、指先を適宜指入れ部３５１に入れることで非印刷指を無理なく安定した状態に保つことができる。このため印刷指にも負担がかからず、印刷中のブレ等を生じにくくなる。
また、非印刷指の指先を指入れ部３５１に入れておくことができるため、例えばすでに印刷が終了した指の爪が装置各部に接触することを防ぐことができる。これにより、印刷済みの爪が擦れたり傷ついたりするおそれがなく、装置内に汚れが付着することも防止することができる。
なお、載置板３５よりも下側の空間を含めた、基台上板３０よりも下側の空間を、指待機部としてもよい。その場合には、親指を印刷指とする場合にも非印刷指を窮屈に曲げておいたりせずに済み、快適にネイルプリントを行うことができる
【００２５】
基台上板３０のうち指固定部６よりも奥側（Ｙ方向後側）部分には、非印刷時に後述するカートリッジ７（カートリッジホルダ８）が待機する待機領域であるホームポジションＡｒ１及び非印刷時にカートリッジ７のクリーニング等のメンテナンスを行うメンテナンス領域Ａｒ２等が設けられている。
本実施形態では、図４に示すように、装置内の幅方向（Ｘ方向）右側にホームポジションＡｒ１が配置され、左側にメンテナンス領域Ａｒ２が配置されている。
また、ホームポジションＡｒ１から取出し口２１３の手前までＹ方向における装置前方に直進した位置が、カートリッジホルダ８からのカートリッジ７の着脱時にカートリッジホルダ８が配置される交換領域Ａｒ３となっている。つまり、ホームポジションＡｒ１は、交換領域Ａｒ３に対し、前後方向における筐体２内の奥側に配置されている。
【００２６】
また、図４に示すように、筐体２の内部には、印刷対象面に印刷を施す印刷部４０が設けられている。ここで印刷対象面とは、印刷対象の表面であり、本実施形態では、指の爪の表面である。
印刷部４０は、印刷ヘッドとしての機能を有するカートリッジ７、カートリッジ７を支持するカートリッジホルダ８、カートリッジ７を左右方向に沿ったＸ方向に移動させるためのＸ方向移動ステージ４５、Ｘ方向移動モータ４６（図６参照）、カートリッジ７を前後方向に沿ったＹ方向に移動させるためのＹ方向移動ステージ４７、Ｙ方向移動モータ４８（図６参照）等を備えて構成されている。
【００２７】
Ｙ方向移動ステージ４７は、基台上板３０における左右方向の両側部に、それぞれ前後方向（Ｙ方向）に延在して設けられた支持部材４７１を有している。
これら一対の支持部材４７１の延在方向における両端部にはそれぞれプーリー４７７が取り付けられている。装置左側及び装置右側のプーリー４７７には、前後方向に延在する駆動ベルト４７４がそれぞれ巻回されている。
装置後側に設けられているプーリー４７７は、駆動軸部４７６の両端部に取り付けられている。この駆動軸部４７６には、Ｙ方向移動モータ４８（図６参照）が接続されており、このＹ方向移動モータ４８が駆動することで駆動軸部４７６及びこれに取り付けられているプーリー４７７が適宜正逆方向に回転する。
プーリー４７７の回転により、プーリー４７７に巻回されている駆動ベルト４７４も回転し、これによりＸ方向移動ステージ４５（及びＸ方向移動ステージ４５に搭載されているカートリッジ７）がＹ方向に移動可能となっている。
また、支持部材４７１上には駆動ベルト４７４と平行して前後方向に延在するガイド軸４７５が設けられている。
【００２８】
Ｘ方向移動ステージ４５は、左右方向（Ｘ方向）に延在する矩形箱状に形成され、基台上板３０の後端部に設けられている。
Ｘ方向移動ステージ４５の左右両端部にはそれぞれガイド軸４７５が挿通されており、Ｙ方向移動モータ４８（図６参照）が駆動して駆動ベルト４７４が回転することによって、このＸ方向移動ステージ４５は、ガイド軸４７５に沿ってＹ方向に移動可能となっている。
【００２９】
また、Ｘ方向移動ステージ４５の内側には図示しないプーリーが設けられており、このプーリーには、左右方向に延在する駆動ベルト４５４が巻回されている。また、Ｘ方向移動ステージ４５の内側には、この駆動ベルト４５４とほぼ平行して左右方向に延在するガイド軸４５５が設けられている。
Ｘ方向移動ステージ４５には、カートリッジ７を着脱可能に保持するカートリッジホルダ８が搭載されている。
カートリッジホルダ８の背面側（図４において後側）には、ガイド軸４５５が挿通されたホルダ支持部材（図示省略）が設けられている。
カートリッジホルダ８は、Ｘ方向移動モータ４６（図６参照）が駆動して駆動ベルト４５４が回転することによって、Ｘ方向移動ステージ４５内をガイド軸４５５に沿ってＸ方向に移動可能となっている。
【００３０】
カートリッジホルダ８は、前方に開口する形状に形成されており、当該カートリッジホルダ８に対し、前後方向にカートリッジ７が着脱されるようになっている。
カートリッジホルダ８には、コ字状のストッパ部材８４が設けられている。
ストッパ部材８４は、後端部がそれぞれカートリッジホルダ８の左右の側面部に固定されており、固定部分を支点として回動するようになっている。
ストッパ部材８４は、カートリッジ７が装着されていない状態では上方に上げられており、カートリッジホルダ８の前面側を開放する。
そして、カートリッジホルダ８にカートリッジ７が装着されると、カートリッジ７の前面側に配置され、カートリッジ７が外部からの衝撃や振動等によってカートリッジホルダ８から外れて落下等するのを防止するようになっている。
なお、ストッパ部材８４は、カートリッジホルダ８にカートリッジ７が装着されることで自動的にカートリッジ７の前面側に下りるように構成されていてもよいし、ユーザが手動によりストッパ部材８４を上下させることができるようになっていてもよい。
【００３１】
本実施形態では、Ｘ方向移動モータ４６とＹ方向移動モータ４８等により、印刷ヘッドとしてのカートリッジ７をＸ方向及びＹ方向に移動可能なヘッド移動機構４９（図６参照）が構成されており、後述する制御装置８０（特に印刷制御部８１３）によりその動作が制御される。
なお、カートリッジ７の動作やヘッド移動機構４９の動作を制御する印刷制御部８１３は、全てが１つの制御基板上に設けられている必要はない。例えば、カートリッジ７のインク吐出やＸ方向移動モータ４６の動作等を制御する制御部８１が搭載され、メインの制御基板と電気的に接続された図示しない制御基板がＸ方向移動ステージ４５に設けられていてもよい。本実施形態においてカートリッジホルダ８の後面側には、フレキシブルなプリント配線基板４２５が設けられている。このプリント配線基板４２５は、Ｘ方向移動ステージ４５に設けられている制御基板と電気的に接続されており、メインの制御基板上に設けられている印刷制御部８１３からの制御信号は、Ｘ方向移動ステージ４５に設けられている制御基板を介してプリント配線基板４２５に送られ、印刷制御部８１３の制御に従ったカートリッジ７のインク吐出制御等が行われるようになっている。
【００３２】
本実施形態のカートリッジ７は、上述のとおり印刷ヘッドとして機能するものであり、その下面のインク吐出部から微滴化したインクを印刷対象（爪）の被印刷面に吹き付けて印刷を行うインクジェット方式のインクジェットヘッドである。カートリッジ７は、例えば、イエロー（Ｙ；YELLOW）、マゼンタ（Ｍ；MAGENTA）、シアン（Ｃ；CYAN）のインクを吐出可能となっている。
カートリッジ７は、基台上板３０よりも上側の領域を移動するように構成されている。
【００３３】
図５は、印刷部４０のＸ方向移動ステージ４５及びカートリッジホルダ８に支持されたカートリッジ７を取り除いて、基台上板３０の構成を示した平面図である。
図４及び図５に示すように、基台上板３０のうちの前側部分であって左右方向のほぼ中央部には、前述のように指固定部６が配置されており、本実施形態では、この指固定部６の開口部６３に対応する領域が、印刷時においてカートリッジ７が印刷動作を行う印刷領域Ａｒ４となっている。
また、基台上板３０のうちの後部右側は、非印刷時においてカートリッジ７が配置されるホームポジションＡｒ１となっている。
ホームポジションＡｒ１は、カートリッジ７のホームポジションであり、印刷領域Ａｒ４とは異なる位置であって、印刷領域Ａｒ４よりも右側に配置される。なお、ホームポジションＡｒ１は、ヘッド移動機構４９によりカートリッジ７が移動可能な範囲内に配置されればよく、図示例には限定されない。
【００３４】
ホームポジションＡｒ１には、カートリッジ７下面のインク吐出面を覆うキャップ部７１が設けられている。
キャップ部７１は、非印刷時においてインク吐出面を乾燥等から保護するものであり、例えば柔軟性のある樹脂等で形成されている。
キャップ部７１は、カートリッジ７を覆っていない初期位置にあるとき（例えば図５に示す状態）には、ばね等を有する付勢部材７１１によって前側に向かって付勢されている。この状態においてキャップ部７１の上面はカートリッジ７の下面（すなわちインク吐出面）と接触しない程度に、十分に低い位置まで下がっている。これにより、印刷時においてキャップ部７１がカートリッジ７に接触したり、その移動を妨げたりすることがないようになっている。
【００３５】
そして、カートリッジ７が前側から後側に向かって移動しながらホームポジションＡｒ１に移動してくると、カートリッジ７及びこれを支持するカートリッジホルダ８が付勢部材７１１の付勢力に抗してキャップ部７１を後方に押し込んでいく。
これによりキャップ部７１は図示しないレール等に案内されてカートリッジ７のインク吐出面を覆う位置まで上方にせり上がり、インク吐出面がキャップ部７１によりキャッピングされるようになっている。さらに、カートリッジ７がホームポジションＡｒ１から離脱した際は、キャップ部７１は付勢部材７１１によって初期位置まで押し戻され、再びカートリッジ７と干渉しない高さ位置まで下降する。
なお、キャップ部７１をカートリッジ７に干渉しない高さ位置とカートリッジ７のインク吐出面を覆う高さ位置との間で上下動可能とする構成はここに例示したものに限定されない。
【００３６】
また、基台上板３０のうちの後部左側は、カートリッジ７のメンテナンスが行われるメンテナンス領域Ａｒ２となっている。
本実施形態において、メンテナンス領域Ａｒ２は、互いに異なる内容の複数のメンテナンスが行われるようになっており、具体的に、当該メンテナンス領域Ａｒ２には、パージ（スピット）処理を行うパージ部７２と、インク吐出面をワイプするワイプ部７３とが設けられている。
メンテナンス領域Ａｒ２は、印刷領域Ａｒ４及びホームポジションＡｒ１とは異なる位置であって、印刷領域Ａｒ４よりも左側の位置であり、ヘッド移動機構４９によりカートリッジ７が移動可能な範囲内に配置される。
また、メンテナンス領域Ａｒ２では、パージ部７２及びワイプ部７３は、Ｘ方向の位置はほぼ同じであるが、パージ部７２はワイプ部７３よりもＹ方向において前側に配置されている。
【００３７】
パージ部７２は、カートリッジ７のインク吐出面のインク吐出口からインクを強制的に吐出させて、ノズル内等のインク流路内のエアや不純物、粘度の上がったインク等をインクとともに外部に排出させる、いわゆるパージ処理の際に、インク吐出面から強制的に吐出されるインクを受けるメンテナンス部である。
パージ処理を行うことにより、カートリッジ７のノズル内で生じた目詰まり等が解消され、良好な吐出状態に回復させることができる。
パージ部７２は、インク吐出面よりも多少大きく形成された開口部７２１と、この開口部７２１から一繋がりに形成された図示しない廃インクタンクとを備えている。また、廃インクタンク内には、インクを吸収する図示しない吸収体が設けられている。
【００３８】
ワイプ部７３は、カートリッジ７下面のインク吐出面をワイプすることでクリーニングするメンテナンス部であり、複数のワイプ部材７３１が立設されたものである。本実施形態では、４つのワイプ部材７３１が千鳥状に位置をずらして配置されている。なお、ワイプ部材７３１の配置や大きさ、設ける数等は図示例に限定されない。
ワイプ部材７３１は、インク吐出面に付着したインク等を拭き取るクリーニングブレードであり、例えばゴム等の弾性体によって形成されている。ワイプ部材７３１はインクに繰り返し触れても腐食等が発生しにくい耐腐食性の材料で形成されることが好ましい。
【００３９】
なお、カートリッジ７のインク吐出面をワイプすると、ワイプ部材７３１の先端部等にはインクが付着する。
このため、本実施形態では、ワイプ部７３よりも後方に、ワイプ部材７３１に付着したインクを除去するスクレープ部７４が設けられている。
スクレープ部７４は、Ｙ方向に延在する２条のガイドレール７４１に沿って、Ｙ方向に移動可能に設けられている。
スクレープ部７４の前端には、ワイプ部材７３１に摺接してその先端部等に付着したインクを掻き落とすスクレープ部材７４２が設けられている。なお、スクレープ部材７４２の材料、形状等は特に限定されず、ワイプ部材７３１に付着したインクを除去できるものであればよい。
【００４０】
スクレープ部７４の上面には、前端に山折の屈曲部を有する薄い板状の連結ばね７４３が設けられている。この連結ばね７４３前端の屈曲部がカートリッジホルダ８の下面に設けられた図示しない凹部に嵌まり込むことで、スクレープ部７４がカートリッジホルダ８と係脱可能に連結されるようになっている。
つまり、カートリッジホルダ８をＹ方向に沿ってスクレープ部７４の上方に移動させることにより、連結ばね７４３の屈曲部がカートリッジホルダ８の凹部に嵌まって、スクレープ部７４とカートリッジホルダ８とが連結する。この連結状態でカートリッジホルダ８を移動させることで、ワイプ部材７３１をスクレープできる位置までスクレープ部７４を移動させることができる。
スクレープ部７４を後方からワイプ部材７３１上に通過させると、パージ部７２に突き当たり、連結ばね７４３の屈曲部がカートリッジホルダ８の凹部から脱落する。これにより、スクレープ部７４とカートリッジホルダ８との連結が解除される。スクレープ部７４は図示しない付勢ばねにより後方に付勢されており、カートリッジホルダ８との連結が解除されると、この付勢ばねの付勢力によって初期位置（本実施形態では、図５の位置）に復帰する。
【００４１】
図６は、ネイルプリント装置１の概略の制御構成を示す制御ブロック図である。
この図に示すように、ネイルプリント装置１は、上述した印刷部４０のほかに、撮影部５０と、通信部５５と、制御装置８０とを備えている。
【００４２】
撮影部５０は、撮影装置５１と、照明装置５２とを備えている。
撮影部５０は、指固定部６に配置された印刷指の爪を照明装置５２によって照明する。そして、撮影装置５１によってその印刷指を撮影して、印刷指の爪の画像である爪画像（爪画像を含む指の画像）を得るものである。
なお、撮影部５０は、カートリッジ７を移動させるヘッド移動機構４９によってＸＹ方向に移動可能に構成されていてもよい。
撮影装置５１は、例えば、２００万画素程度以上の画素を有する固体撮影素子とレンズ等を備えて構成された小型カメラである。また、照明装置５２は、例えば白色ＬＥＤ等の照明灯である。
撮影部５０は、撮影装置５１により爪を撮影して爪画像（印刷指を含む爪の画像）を取得する。
この撮影部５０は、後述する制御装置８０の撮影制御部８１２に接続され、当該撮影制御部８１２によって動作を制御されるようになっている。
なお、撮影部５０によって撮影された画像のデータは、後述する記憶部８２に記憶されてもよい。
【００４３】
通信部５５は、ネイルプリント装置１と連携して動作する後述の端末装置９との間で情報の送受信が可能に構成されたものである。
ネイルプリント装置１と端末装置９との間での通信は、例えば無線ＬＡＮ等により行われる。なお、ネイルプリント装置１と端末装置９との間での通信はこれに限定されず、いかなる方式によるものでもよい。例えば、インターネット等のネットワーク回線を使うものであってもよいし、Bluetooth（登録商標）やWi-Fi等の近距離無線通信規格に基づく無線通信を行うものであってもよい。また、この通信は無線に限定されず、有線接続により両者間で各種データの送受信が可能な構成としてもよい。通信部５５は端末装置９の通信方式に対応するアンテナチップ等を備えている。
【００４４】
制御装置８０は、例えば筐体２天面の下面側等に配置された図示しない基板等に設置されている。
制御装置８０は、図示しないＣＰＵ（Central Processing Unit）により構成される制御部８１と、ＲＯＭ（Read Only Memory）８２１及びＲＡＭ（Random Access Memory）８２２等を有して構成される記憶部８２とを備えるコンピュータである。
【００４５】
記憶部８２には、ネイルプリント装置１を動作させるための各種プログラムや各種データ等が格納されている。
具体的には、記憶部８２のＲＯＭ８２１には、例えばカートリッジ７をメンテナンスするメンテナンス動作を行うためのメンテナンスプログラムや、印刷処理を行うための印刷プログラム等の各種プログラムが格納されており、これらのプログラムが制御装置８０によって実行されることによって、ネイルプリント装置１の各部が統括制御されるようになっている。
【００４６】
制御部８１は、機能的に見た場合、通信制御部８１１、撮影制御部８１２、印刷制御部８１３等を備えている。これら通信制御部８１１、撮影制御部８１２、印刷制御部８１３等としての機能は、制御部８１のＣＰＵと記憶部８２のＲＯＭ８２１に記憶されたプログラムとの共働によって実現される。
【００４７】
通信制御部８１１は、通信部５５の動作を制御するものである。本実施形態では、後述の端末装置９との間での通信を制御し、当該端末装置９から印刷用データ等が送信された場合にこれを受信する。
また、撮影部５０によって爪画像が取得されたときは、取得された日時等の経時情報とともに爪画像データを端末装置９に送信する。
なお、ネイルプリント装置１側で印刷中にトラブル等が発生した場合等、動作状況に異変が生じた場合には、その旨を端末装置９側に送信するようにしてもよい。
【００４８】
撮影制御部８１２は、撮影部５０の撮影装置５１及び照明装置５２を制御して撮影装置５１により、指固定部６に固定された印刷指の爪の画像を含む指の画像（爪画像）を撮影させるものである。
撮影部５０により取得された爪画像の画像データは、通信部５５を介して後述の端末装置９に送信される。なお、画像データは記憶部８２に記憶されてもよい。
【００４９】
印刷制御部８１３は、後述の端末装置９から送信された印刷用データに基づいて印刷部４０に制御信号を出力し、爪に対してこの印刷用データにしたがった印刷を施すように印刷部４０のＸ方向移動モータ４６、Ｙ方向移動モータ４８、カートリッジ７等を制御する制御部である。
【００５０】
また、本実施形態において印刷制御部８１３は、カートリッジ７の着脱が必要になった際には、カートリッジ７を保持するカートリッジホルダ８を所定の交換領域Ａｒ３（図４及び図５参照）に移動させるように、Ｘ方向移動モータ４６やＹ方向移動モータ４８の動作を制御する。
【００５１】
本実施形態では、ネイルプリント装置の電源がＯＦＦとなっている初期状態において、カートリッジホルダ８は、待機位置であるホームポジションＡｒ１（図４及び図５参照）に配置されている。
この場合、端末装置９からの動作指示に従ってネイルプリント装置１の電源がＯＮとなると、印刷制御部８１３は、カートリッジホルダ８をホームポジションＡｒ１から交換領域Ａｒ３に移動させる。
具体的には、Ｙ方向移動モータ４８を制御して、カートリッジホルダ８（カートリッジホルダ８を支持しているＸ方向移動ステージ４５）をＹ方向に沿って真っ直ぐ装置前面側に移動させ、取出し口２１３の手前の交換領域Ａｒ３で停止させる。
【００５２】
ホームポジションＡｒ１には、カートリッジ７のインク吐出面を乾燥等から保護するキャップ部７１等が設けられており、現状においてカートリッジホルダ８にカートリッジ７が装着されていて、これを交換する場合には、カートリッジホルダ８はホームポジションＡｒ１に配置されている。
しかし、例えば、長期間装置を使用しない場合等、カートリッジホルダ８からカートリッジ７を取り外している場合には、カートリッジホルダ８は必ずしもホームポジションＡｒ１に配置されているとは限らない。また、カートリッジホルダ８がホームポジションＡｒ１とは異なる位置に配置された状態で電源がＯＦＦとなってしまう場合もありうる。
このような場合には、印刷制御部８１３は、カートリッジホルダ８の現状の位置を把握して、適宜Ｘ方向移動モータ４６及びＹ方向移動モータ４８を制御して、カートリッジホルダ８をＸ方向、Ｙ方向に動かし、交換領域Ａｒ３まで移動させた上で停止させる。
【００５３】
そして、印刷制御部８１３は、カートリッジ７のカートリッジホルダ８への装着時に、Ｘ方向移動モータ４６やＹ方向移動モータ４８に所定の電圧又は電流を印加することでカートリッジホルダ８が移動方向に移動しないようにＸ方向移動モータ４６やＹ方向移動モータ４８の動作を制御する。
本実施形態では、印刷制御部８１３は、カートリッジホルダ８を交換領域Ａｒ３で停止させると、当該位置からカートリッジホルダ８が移動しないようにＸ方向移動モータ４６やＹ方向移動モータ４８に所定の電圧又は電流を印加して停止状態を保持させる。
【００５４】
また、図６に示すように、本実施形態のネイルプリント装置１は、端末装置９との間で通信可能に構成されており、端末装置９からの動作指令に基づいて印刷動作等を実行するようになっている。
【００５５】
端末装置９は、例えばスマートフォンやタブレット等の携帯端末である。ただし、端末装置９は、ネイルプリント装置１と通信可能なものであれば特に限定されず、例えばノート型又は定置型のパソコンや、ゲーム用の端末装置等であってもよい。
具体的に、端末装置９は、操作部９１、表示部９２、通信部９４、制御装置９５等を備えている。
【００５６】
操作部９１は、ユーザの操作に応じて各種の入力・設定等を行うことができるようになっており、操作部９１が操作されると、当該操作に対応する入力信号が制御装置９５に送信される。なお、本実施形態では表示部９２の表面にタッチパネルが一体的に設けられており、ユーザはタッチパネルへのタッチ操作によっても各種の入力・設定等の操作を行うことができるようになっている。
なお、各種の入力・設定等の操作を行う操作部９１はタッチパネルである場合に限定されない。例えば各種の操作ボタンやキーボード、ポインティングデバイス等が操作部９１として設けられていてもよい。
本実施形態では、ユーザが操作部９１を操作することで、爪に印刷するネイルデザインを選択すること等ができるようになっている。
【００５７】
表示部９２に構成されているタッチパネルは、後述する制御部９５１の制御にしたがって各種の表示画面を表示させる。
本実施形態では、表示部９２には、ユーザが操作部９１から入力・選択したネイルデザインや、ネイルプリント装置１から送信された画像等が表示可能となっている。
【００５８】
通信部９４は、ネイルプリント装置１に対して印刷用データを送信することが可能となっている。また、通信部９４は、ネイルプリント装置１から爪画像等のデータが送信されたときには、これを受信する。通信部９４は、ネイルプリント装置１の通信部５５との間で通信可能な無線通信モジュール等を備えている。
なお、通信部９４は、ネイルプリント装置１との間で通信を行うことのできるものであればよく、ネイルプリント装置１の通信部５５の通信規格と合致するものが適用される。
【００５９】
制御装置９５は、図示しないＣＰＵ（Central Processing Unit）等により構成される制御部９５１と、図示しないＲＯＭ（Read Only Memory）及びＲＡＭ（Random Access Memory）等で構成される記憶部９５２とを備えるコンピュータである。
【００６０】
記憶部９５２には、端末装置９の各部を動作させるための各種プログラムや各種データ等が格納されている。
具体的には、本実施形態のＲＯＭ等には、端末装置９の各部を統括制御するための動作プログラムの他、ネイルプリント装置１を用いたネイルプリントを行うためのネイルプリントアプリケーションプログラム等の各種プログラムが格納されており、制御装置９５がこれらのプログラムを例えばＲＡＭの作業領域に展開して実行することによって、端末装置９が制御されるようになっている。
また、本実施形態の記憶部８２には、ネイルデザインのデータや、爪の画像及び爪の位置・範囲の情報等が格納されるようになっている。
【００６１】
制御部９５１は、端末装置９の各部の動作を統合的に制御する。制御部９５１は、記憶部９５２に記憶されたプログラムとの協働により、爪への印刷を行うための各種機能を実現する。
【００６２】
続いて、カートリッジ７の装着が行われる際のネイルプリント装置１の動作について説明する。
ここでは、カートリッジホルダ８にカートリッジ７が装着されておらず、電源がＯＦＦの状態からネイルプリント装置１を動作させる場合について説明する。ただし、カートリッジ７が装着されたカートリッジホルダ８からカートリッジ７を離脱させる（取り外す）場合でも、カートリッジ７を着脱するユーザの作業以外は、カートリッジ７を装着させる場合と同様に動作する。
図７は、ネイルプリント装置１から下カバー２２を外し上カバー２３を開けた状態を示す斜視図であって、カートリッジホルダ８からカートリッジ７を取り外した状態を示す図である。図８は、図７に示す状態のネイルプリント装置１においてカートリッジホルダ８にカートリッジ７を装着する様子を示す斜視図である。
【００６３】
カートリッジホルダ８にカートリッジ７を装着する場合には、まず、ユーザが端末装置９からネイルプリント装置１のカートリッジ７の装着（交換）の指示を入力する。これによりネイルプリント装置１の電源がＯＦＦの場合には、端末装置９からネイルプリント装置１に対して電源ＯＮの指示が出力され、ネイルプリント装置１が起動する。
ネイルプリント装置１が起動すると、印刷制御部８１３がＸ方向移動モータ４６やＹ方向移動モータ４８を制御して、カートリッジホルダ８を取出し口２１３に対応する交換領域Ａｒ３まで移動させる。
例えば、電源がＯＦＦであるときの初期状態等において、カートリッジホルダ８が基台３の右奥のホームポジションＡｒ１に位置している場合であれば、印刷制御部８１３はＹ方向移動モータ４８を制御して、カートリッジホルダ８をＹ方向（図４において黒矢印で示す方向）に沿って装置手前側に前進させ、ホームポジションＡｒ１から交換領域Ａｒ３まで移動させる。
このとき、端末装置９の表示部９２には、「ネイルプリント装置の上カバーを開けてカートリッジを装着してください。」等のメッセージが表示されてもよい。
カートリッジホルダ８が交換領域Ａｒ３まで移動してくると、ユーザは、図７に示すように、筐体本体２１から下カバー２２を取り外してから上カバー２３を開け、カートリッジホルダ８のストッパ部材８４が下に下がっている場合にはこれを上に上げる。それから、図８に示すように、開放状態となっているカートリッジホルダ８にカートリッジ７を前側から装着する。なお、図８では二点鎖線でカートリッジ７を押し込むユーザの手を表している。
【００６４】
このとき、印刷制御部８１３は、所定の電流又は電圧をＹ方向移動モータ４８に印加する。これにより、Ｙ方向移動モータ４８はブレーキがかかった状態となり、ユーザの押圧力に抗してカートリッジホルダ８が静止状態に保持される。このため、ユーザは容易にカートリッジ７を装着することができる。
【００６５】
その後、ユーザはストッパ部材８４をカートリッジ７の手前側に下ろして、意図せずカートリッジ７がカートリッジホルダ８から脱落等することを防止する（図３参照）。
そして、印刷を行う場合には、ユーザは、上カバー２３を閉じるとともに指固定部６に印刷指を挿入し、端末装置９から所定の印刷操作を実行する。これにより、端末装置９とネイルプリント装置１とが連携して動作し、印刷指の爪に対する印刷が行われる。
また、ネイルプリント装置１を停止させる場合には、ユーザは、上カバー２３を閉じるとともに下カバー２２を筐体本体２１に装着させ、端末装置９からネイルプリント装置１の電源をＯＦＦする指示を入力する。すると、ネイルプリント装置１の印刷制御部８１３が、カートリッジホルダ８をホームポジションＡｒ１に移動させた後、制御部８１がネイルプリント装置１の電源をＯＦＦにする。
【００６６】
以上のように、本実施形態によれば、筐体２（筐体本体２１）の前壁部２１２には、当該筐体２内に印刷対象の爪（印刷指）を挿入する開口部６１と、カートリッジ７の着脱時にカートリッジホルダ８が配置される交換領域Ａｒ３を外部に露出させる取出し口２１３と、が設けられている。
これにより、筐体２内への印刷指の挿入とカートリッジ７の交換との各々に必要な空間を共有し、これらの動作・作業を筐体２の前側のスペースのみで行うことができる。すなわち、筐体２の周囲において、少なくとも印刷指の挿入とカートリッジ７の交換に必要な空間を、前側のみに限定することができる。したがって、ネイルプリント装置１を、設置場所を選ばない使い勝手の良いものとすることができ、ひいては良好な印刷を行うことができる。
【００６７】
また、本実施形態によれば、取出し口２１３から交換領域Ａｒ３を露出させる方向と、カートリッジホルダ８からカートリッジ７を着脱させる方向とが対応している。
これにより、取出し口２１３を通じ、カートリッジホルダ８に対して容易にカートリッジ７を着脱することができる。
【００６８】
また、本実施形態によれば、非印刷時にカートリッジホルダ８が配置されるホームポジションＡｒ１が、交換領域Ａｒ３に対し、カートリッジホルダ８からカートリッジ７を着脱させる方向（前後方向）における筐体２内の奥側（すなわち後側）に配置される。そして、カートリッジ７の着脱時には、印刷制御部８１３が、カートリッジホルダ８をホームポジションＡｒ１から交換領域Ａｒ３まで筐体２手前に向かって前方に移動させる。
これにより、カートリッジ７の着脱時には、カートリッジホルダ８がホームポジションＡｒ１から交換領域Ａｒ３まで前方に移動してきた後に、このカートリッジホルダ８に対してカートリッジ７が前後に着脱される。したがって、速やかにカートリッジホルダ８を交換領域Ａｒ３まで移動させ、容易にカートリッジ７の着脱を行うことができる。
【００６９】
また、本実施形態によれば、筐体２は、前壁部２１２を有する筐体本体２１と、前壁部２１２の取出し口２１３を開閉可能に筐体本体２１に設けられた上カバー２３とを備え、上カバー２３の開披により取出し口２１３を露出させる。
これにより、例えば装置を使用しないときや印刷時には上カバー２３で取出し口２１３を覆っておき、カートリッジ７の交換時にのみ上カバー２３を上げて取出し口２１３を開放させるなどして、取出し口２１３から筐体２内への塵芥等の侵入を抑えることができる。
【００７０】
また、本実施形態によれば、上カバー２３材には、筐体２内に挿入された印刷対象の爪（印刷指）を外部から視認するための窓部２３１が設けられている。
これにより、筐体２内に配置された印刷対象の爪の状態を、窓部２３１を通じて目視で確認することができる。
【００７１】
また、本実施形態によれば、上カバー２３は、当該上カバー２３の上端部と前壁部２１２の上端部とがヒンジ機構２１４を介して連結されることにより、筐体本体２１に対して回動可能に設けられている。そして、上カバー２３の回動範囲は、取出し口２１３を覆う閉状態から、取出し口２１３を露出させ且つ当該上カバー２３が筐体本体２１の上面と同程度の高さに位置する開状態までに規制されている。
つまり、上カバー２３は、筐体本体２１の上面と同程度の高さよりも上方に位置することはない。これにより、ネイルプリント装置１が上側にスペースの余裕がない場所に収納されている場合でも、当該収納場所から取り出さないまま印刷やカートリッジ７の交換等を行うことができる。
【００７２】
また、本実施形態によれば、筐体２は、筐体本体２１と着脱可能に構成されて当該筐体本体２１への装着時に開口部６１を覆う下カバー２２を備える。
これにより、例えば装置を使用しないときには下カバー２２で開口部６１を覆っておき、印刷時に下カバー２２を取り外して開口部６１を開放させるなどして、開口部６１から筐体２内への塵芥等の侵入を抑えることができる。
【００７３】
なお、以上本発明の実施形態について説明したが、本発明は、かかる実施形態に限定されず、その要旨を逸脱しない範囲で、種々変形が可能であることは言うまでもない。
【００７４】
例えば、本実施形態では、開口部６１と取出し口２１３とが筐体２（筐体本体２１）の前壁部２１２に設けられることとしたが、これらの開口部は、そのいずれもが筐体２のうちいずれか一の壁部に設けられていればよい。ここで、壁部とは、筐体のうち上下に立設されて当該筐体の内外を隔てるものであって、本実施形態の筐体２では前後左右のいずれかの壁部である。この場合、交換領域Ａｒ３は、取出し口２１３の位置に対応したその近接位置に設けられる。
【００７５】
また、上記実施形態では、本発明に係る第１の開口部が、筐体２内に印刷対象の爪（印刷指）を挿入する開口部６１であることとしたが、当該第１の開口部は、筐体２内に印刷指を含む手を挿入する開口部２１１としてもよい。
【００７６】
また、本実施形態では、カートリッジ７がインクジェット方式の印刷ヘッド機構を一体的に備えるヘッド一体型のインクカートリッジである場合を例示したが、カートリッジはインクジェット方式で印刷を行うものに限定されない。
また、カートリッジはヘッド一体型のものに限定されない。例えば、インク吐出面等のインクを吐出させる機能を備えた印刷ヘッド機構をカートリッジ７が装着されるカートリッジホルダ８側等に備え、カートリッジはインク貯留部のみを有するものとしてもよい。
この場合には、消耗品として交換可能なカートリッジを簡易かつ安価な構成で実現することができ、ユーザにとって経済的である。
なお、この場合に、カートリッジは、インクの減り具合を監視するセンサとこのセンサに接続される端子部を備え、カートリッジがカートリッジホルダに装着されると、カートリッジ端子部及びホルダ端子部を介して、インク残量が装置側で把握され、カートリッジの交換時期がユーザに報知されるように構成してもよい。
【００７７】
また、インクの減り具合を監視するセンサを備え、センサによる検出結果が端末装置９に送られるように構成した場合には、センサの検出結果からインクが所定以下に減り、カートリッジ７が交換時期にあると端末装置９の制御装置９０等において判断された場合に、カートリッジホルダ８を交換領域Ａｒ３に移動させるとともに、カートリッジホルダ８を静止状態とするための所定の電圧又は電流をＸ方向移動モータ４６やＹ方向移動モータ４８に印加するようにネイルプリント装置１の印刷制御部８１３に動作指示が出力されるようにしてもよい。
【００７８】
また、本実施形態では、ネイルプリント装置１がインクジェット方式で印刷を行う構成としたが、ネイルプリント装置１が印刷を行う手法はインクジェット方式に限定されない。
例えば、爪の表面にペン先を接触させて印刷を行う印刷用のペンを保持するペンホルダを備え、ペンを用いて印刷を行うようにしてもよい。また、本実施形態のようなインクジェット方式の印刷手段と印刷用のペンを保持するペンホルダとを両方備え、複数の印刷手段を用いて印刷を行う構成としてもよい。
【００７９】
また、本実施形態では、ネイルプリント装置１が端末装置と連携して印刷システムを構成し、印刷開始指示の入力や、印刷領域（すなわち爪の領域）の検出、各種補正や印刷用データの生成等を端末装置側で行った上で、爪に印刷を行う印刷動作をネイルプリント装置１側で行う場合を例示したが、ネイルプリント装置１はここに示すようなものに限定されない。
例えば、各種指示を入力する操作部や表示部、印刷用データを生成する印刷データ生成部等をネイルプリント装置１側に設けて、ネイルプリント装置１の制御装置がこれらの処理を行うようにしてもよい。
このように構成した場合には、端末装置と連携することなく、ネイルプリント装置１が単体で印刷動作を完結できるように構成することもできる。
【００８０】
また、ネイルデザインの画像データは端末装置の記憶部に設けられていてもよいし、ネイルプリント装置１の記憶部に記憶されていてもよい。
また、ネットワーク回線等を介して接続可能なサーバ装置等にネイルデザインの画像データを記憶させておき、端末装置又はネイルプリント装置１がサーバ装置等にアクセスしてネイルデザインの画像データを参照可能に構成してもよい。
このようにすることで、より多くのネイルデザインの中から印刷するデザインを選択することが可能となる。
【００８１】
また、ネイルプリント装置１に、印刷後にインクを乾燥させるためのヒータやファンを備える乾燥部が設けられていてもよい。
例えば、指待機部３５０等に乾燥部を設けることで、他の指の爪に印刷を行っている間に、印刷済みの爪を乾燥させることができ、ネイルプリントに要する時間を短縮することができる。
【００８２】
以上本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
筐体と、
前記筐体内に収容され、カートリッジを保持するカートリッジホルダと、
を備え、
前記筐体のいずれか一の壁部には、
当該筐体内に印刷対象である爪に対応する印刷指を挿入するための第１の開口部と、
前記カートリッジの着脱時に前記カートリッジホルダが配置される交換領域を外部に露出させる第２の開口部と、
が設けられていることを特徴とする印刷装置。
＜請求項２＞
前記カートリッジホルダの動作を制御する制御手段を備え、
非印刷時に前記カートリッジホルダが待機する待機領域が、前記交換領域に対し、前記カートリッジを着脱させる所定の方向における前記筐体内の奥側に配置され、
前記制御手段は、前記カートリッジの着脱時には、前記カートリッジホルダを前記待機領域から前記交換領域まで前記筐体手前に向かって前記所定の方向に移動させることを特徴とする請求項１に記載の印刷装置。
＜請求項３＞
前記筐体は、前記一の壁部を有する筐体本体と、開閉可能に前記筐体本体に設けられたカバー部材と、を備え、前記カバー部材の開披により前記一の壁部の前記第２の開口部を露出させることを特徴とする請求項１又は請求項２に記載の印刷装置。
＜請求項４＞
前記カバー部材には、前記筐体内に挿入された前記印刷対象を外部から視認するための窓部が設けられていることを特徴とする請求項３に記載の印刷装置。
＜請求項５＞
前記カバー部材は、
当該カバー部材の上端部と前記一の壁部の上端部とがヒンジ機構を介して連結されることにより、前記筐体本体に対して回動可能に設けられ、
当該カバー部材の回動範囲が、前記第２の開口部を覆う閉状態から、前記第２の開口部を露出させ且つ当該カバー部材が前記筐体本体の上面と同程度の高さに位置する開状態までに規制されていることを特徴とする請求項３又は請求項４に記載の印刷装置。
＜請求項６＞
前記筐体は、前記筐体本体と着脱可能に構成されて前記筐体本体への装着時に前記第１の開口部を覆う他のカバー部材を備えることを特徴とする請求項３から請求項５のいずれか一項に記載の印刷装置。
＜請求項７＞
前記筐体は、非印刷指を挿入する指待機部を備え、前記筐体本体への前記他のカバー部材の装着時に、前記他のカバー部材は前記第１の開口部及び前記指待機部を覆うことを特徴とする請求項６に記載の印刷装置。
【符号の説明】
【００８３】
１        ネイルプリント装置
２        筐体
６        指固定部
７        カートリッジ
８        カートリッジホルダ
２１      筐体本体
２２      下カバー
２３      上カバー
６１      開口部
２１１    開口部
２１２    前壁部
２１３    取出し口
２１４    ヒンジ機構
２３１    窓部
３５０    指待機部
Ａｒ１    ホームポジション
Ａｒ３    交換領域
【図１】
2020138453.tif 000003
【図２】
2020138453.tif 000004
【図３】
2020138453.tif 000005
【図４】
2020138453.tif 000006
【図５】
2020138453.tif 000007
【図６】
2020138453.tif 000008
【図７】
2020138453.tif 000009
【図８】
2020138453.tif 000010